Podtech/llm-jp-corpus-v4-ja_patent huggingface dataset:
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
ワイヤレス電力受信機を動作させる方法であって、
第1の誘導性要素に電流を供給して電磁場を生成し、ワイヤレス電力送信機の第2の誘導性要素に誘導電流を誘起するステップと、
前記第2の誘導性要素における前記誘導電流に基づく前記第1の誘導性要素と前記第2の誘導性要素との間の距離の指示を受信するステップと
を含む方法。
【請求項２】
前記ワイヤレス電力送信機が前記ワイヤレス電力受信機へのワイヤレス電力伝達を開始する前に、前記指示に基づいて、前記ワイヤレス電力受信機を前記ワイヤレス電力送信機と位置合わせするステップをさらに含む、請求項1に記載の方法。
【請求項３】
前記指示は、前記誘導電流の大きさを示す値を含む、請求項1または2に記載の方法。
【請求項４】
前記第1の誘導性要素に前記電流を供給して前記電磁場を生成する前に、前記ワイヤレス電力送信機に通知するステップをさらに含む、請求項1から3のいずれか一項に記載の方法。
【請求項５】
前記ワイヤレス電力受信機を前記ワイヤレス電力送信機と位置合わせするのを支援するためのユーザインターフェースに前記指示を表示するステップをさらに含む、請求項4に記載の方法。
【請求項６】
ワイヤレス電力送信機を動作させる方法であって、
第1の誘導性要素において誘導電流を検出するステップであって、前記誘導電流は、第2の誘導性要素における電流によって生成された電磁場によって前記第1の誘導性要素に誘起され、ワイヤレス電力受信機が前記第2の誘導性要素を含む、ステップと、
前記誘導電流に基づいて、前記第1の誘導性要素と前記第2の誘導性要素との間の距離の指示を決定するステップと、
前記ワイヤレス電力受信機に前記指示を送信するステップと
を含む方法。
【請求項７】
前記誘導電流の大きさを測定するステップをさらに含み、前記指示は、前記誘導電流の前記測定された大きさを示す値を含む、請求項6に記載の方法。
【請求項８】
前記ワイヤレス電力受信機から通知を受信するステップであって、前記通知は、前記電流が前記第2の誘導性要素に供給されて前記電磁場が生成される前に、前記ワイヤレス電力送信機に通知する、ステップをさらに含む、請求項6または7に記載の方法。
【請求項９】
ワイヤレス電力送信機の第2の誘導性要素を含むワイヤレス電力送信機によって生成された第1の電磁場からワイヤレス電力を受信するための手段と、
前記第1の電磁場からワイヤレス電力を受信するための前記手段に電流を供給して第2の電磁場を生成し、前記第2の誘導性要素に誘導電流を誘起するための手段と、
前記第2の誘導性要素における前記誘導電流に基づく、ワイヤレス電力を受信するための前記手段と前記第2の誘導性要素との間の距離の指示を受信するための手段と
を含むワイヤレス電力受信機。
【請求項１０】
前記ワイヤレス電力送信機が前記ワイヤレス電力受信機へのワイヤレス電力伝達を開始する前に、前記指示に基づいて、前記ワイヤレス電力受信機を前記ワイヤレス電力送信機と位置合わせするための手段をさらに含む、請求項9に記載のワイヤレス電力受信機。
【請求項１１】
前記ワイヤレス電力受信機を前記ワイヤレス電力送信機と位置合わせするのを支援するために前記指示を表示するための手段をさらに含む、請求項9または10に記載のワイヤレス電力受信機。
【請求項１２】
第2の誘導性要素を含むワイヤレス電力受信機にワイヤレス電力を伝達するための第1の電磁場を生成するための手段と、
前記第1の電磁場を生成するための前記手段において誘導電流を検出するための手段であって、前記誘導電流は、前記第2の誘導性要素における電流によって生成された第2の電磁場によって前記第1の電磁場を生成するための前記手段に誘起される、手段と、
前記誘導電流に基づいて、前記第1の電磁場を生成するための前記手段と前記第2の誘導性要素との間の距離の指示を決定するための手段と、
前記ワイヤレス電力受信機に前記指示を送信するための手段と
を含むワイヤレス電力送信機。
【請求項１３】
前記誘導電流の大きさを測定するための手段をさらに含み、前記指示は、前記誘導電流の前記測定された大きさを示す値を含む、請求項12に記載のワイヤレス電力送信機。
【請求項１４】
前記ワイヤレス電力受信機から通知を受信するための手段であって、前記通知は、前記電流が前記第2の誘導性要素に供給されて前記第2の電磁場が生成される前に、前記ワイヤレス電力送信機に通知する、手段をさらに含む、請求項12に記載のワイヤレス電力送信機。
【請求項１５】
第2の誘導性要素を含むワイヤレス電力送信機によって生成された第1の電磁場からワイヤレス電力を受信するための手段と、
ワイヤレス電力受信機が前記ワイヤレス電力送信機からワイヤレス電力を受信するのに適した状況にあると前記ワイヤレス電力送信機が判断するように、ワイヤレス電力を受信するための前記手段に電流を供給して第2の電磁場を生成して、前記第2の誘導性要素に電流を誘起するための手段と、
選択的に、ワイヤレス電力を受信するための前記手段から電力を受信するか、またはワイヤレス電力を受信するための前記手段に電力を提供するための手段と
を含むワイヤレス電力受信機。
【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
薬剤輸送容器（１０）であって、
薬剤バイアル（１２）の少なくとも一部を受けるように構成され、前記バイアル（１２）との流体接続を確立する開口部（３２）を画定し、近位端部（２１）を備える第１の本体部（２０）と、
前記バイアル（１２）を完全に囲むように前記第１の本体部（２０）と係合する第２の本体部（４０）であって、前記第１の本体部（２０）の前記近位端部と係合する遠位端部（４３）と、閉鎖近位端部（４１）と、を有し、それらの間に内部キャビティ（４２）を画定する、第２の本体部（４０）と、
を備え、
前記第２の本体部（４０）は、流体注入システム（１００）の受けドッキングステーション（１１２）と協働して、前記第２の本体部（４０）が前記ドッキングステーション（１１２）に軸方向に挿入されたとき、前記バイアル（１２）と、前記ドッキングステーション（１１２）内に配置された流体コネクタ要素（１１８）と、の間に流体接続を確立するように構成される、薬剤輸送容器（１０）。
【請求項２】
開放近位端部（５３）、閉鎖遠位端部（５４）、及び自身の内部に前記第１の本体部（２０）を受けて前記開口部を塞ぐ受けチャンバ（５５）を具備した、取り外し可能なエンドキャップ（５２）をさらに具備し、
前記第２の本体部（４０）は、前記エンドキャップ（５２）の受けチャンバ（５５）と協働するように形成されて、前記第２の本体部（４０）は、前記エンドキャップ（５２）の受けチャンバ（５５）内に軸方向にガイドされる、薬剤輸送容器（１０）。
【請求項３】
前記第２の本体部（４０）の外面（２４５）から、又は前記ドッキングステーション（１１２）の内部から、もしくは前記エンドキャップ（５２）の内部から、半径方向に延びる少なくとも１つのガイドタブ（２６０）を更に備え、前記少なくとも１つのガイドタブ（２６０）は、前記第２の本体部（４０）の前記外面（２４５）に画定されるか、又は前記受けドッキングステーション（１１２）内もしくは前記エンドキャップ（５２）内に画定される少なくとも１つのガイドスロット（２５６）に係合するように構成され、前記少なくとも１つのガイドスロット（２５６）との前記少なくとも上ガイドタブ（２６０）の係合により、前記第２の本体部（４０）は軸方向において前記ドッキングステーション（１１２）内に並進移動するか、又は前記エンドキャップ（５２）の受けチャンバ（５５）内に並進移動して、前記軸方向並進移動の結果として、前記バイアル（１２）と、前記ドッキングステーション（１１２）内に配置された前記流体コネクタ要素（１１８）と、の間に前記流体接続を確立する、請求項１又は２に記載の薬剤輸送容器（１０）。
【請求項４】
前記少なくとも１つのガイドスロット（２５６）は螺旋形である、請求項３に記載の薬剤輸送容器（１０）。
【請求項５】
前記第２の本体部（４０）の内部キャビティ（４２）に位置決めされ、且つ前記第１の本体部（２０）に係合するように構成される可撓性リング（２４７）を更に備え、前記第１の本体部（２０）は、前記第１の本体部（２０）と前記第２の本体部（４０）とが係合すると、前記可撓性リング（２４７）を半径方向に変形させるように構成される、請求項１〜４のいずれか一項に記載の薬剤輸送容器（１０）。
【請求項６】
前記可撓性リング（２４７）は楕円形である、請求項５に記載の薬剤輸送容器（１０）。
【請求項７】
第１の本体部（２０）は、前記可撓性リング（２４７）と協働して、前記可撓性リングを（２４７）半径方向に変形させる、半径方向外側に延びるリム（２３１）を備える、請求項５又は６に記載の薬剤輸送容器（１０）。
【請求項８】
前記半径方向外側に延びるリム（２３１）は、前記可撓性リング（２４７）の短軸にわたる内部距離よりも大きな外径を備える、請求項７に記載の薬剤輸送容器（１０）。
【請求項９】
前記第２の本体部（４０）は、前記第２の本体部（４０）の内部キャビティ（４２）内に配置された保持リング（２４６）を具備し、前記保持リング（２４６）は、前記可撓性リング（２４７）を前記内部キャビティ（４２）内に保持し、且つ前記第１の本体部（２０）の外面に画定された、半径方向外側に延びるリム（２２７）に当接する、請求項５〜８のいずれか一項に記載の薬剤輸送容器（１０）。
【請求項１０】
前記第１の本体部（２０）は、前記バイアルの本体（１２）を受けて囲むように構成され、且つ前記第２の本体部（４０）の内部キャビティ（４２）内に受けることが可能な近位延在壁を画定する、請求項１〜９のいずれか一項に記載の薬剤輸送容器（１０）。
【請求項１１】
前記第１の本体部（２０）は、前記バイアル（１２）の少なくとも１つのキャップ端部（１６）を受けるための中空内部キャビティ（２２）を画定する、請求項１〜１０のいずれか一項に記載の薬剤輸送容器（１０）。
【請求項１２】
前記第１の本体部（２０）は、前記バイアル（１２）のネックに係合する、前記中空内部キャビティ（２２）内に半径方向内側に延びるリム（２５）を備える、請求項１１に記載の薬剤輸送容器（１０）。
【請求項１３】
前記第１の本体部（２０）は、開位置から閉位置に移動可能なクラムシェルとして形成される、請求項１〜１２のいずれか一項に記載の薬剤輸送容器（１０）。
【請求項１４】
前記第１の本体部（２０）及び前記第２の本体部（４０）は、放射線遮蔽材料で形成される、請求項１〜１３のいずれか一項に記載の薬剤輸送容器（１０）。
【請求項１５】
薬剤流体注入システムであって、
請求項１〜１４のいずれか一項に記載の薬剤輸送容器（１０）を具備し、
内部で前記薬剤輸送容器（１０）を軸方向に受けるドッキングステーション（１１２）であって、前記薬剤輸送容器（１０）が前記ドッキングステーション（１１２）内に軸方向に受けられるとき、前記バイアル（１２）との流体接続を確立する流体コネクタ要素（１１８）を備える、ドッキングステーション（１１２）をさらに備える、薬剤流体注入システム。
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
ポリマーチューブから形成されたスキャフォールドを備えるステントであって、
バルーンにクリンプされるように構成され、
前記スキャフォールドが、相互接続されたストラットのパターンを有し、
前記スキャフォールドが、前記バルーンによってクリンプ状態から拡張されると拡張時直径を有し、
前記スキャフォールドが、前記拡張時直径の少なくとも５０％までクラッシュした後で前記拡張時直径の約８０％より大きくなり、
前記スキャフォールドが、０．３Ｎ／ｍｍを超える半径方向剛性を有し、
前記スキャフォールドが、ポリ（Ｌ−ラクチド）（ＰＬＬＡ）と、コポリマーの０．１〜１０重量％又はモル％であるゴム状ポリマーと、からなる形状記憶ランダムコポリマーから製造され、
前記スキャフォールドが、生理学的条件下において３７℃で自己拡張特性を示し、
前記ストラットがクラウンを有する波動リングを形成し、前記リングが長手方向に延在するリンクによって相互接続され、前記クラウンがＷ−クラウン、Ｙ−クラウン、及び自由クラウンを有し、
第１のリンクが第１のリングと隣接するリングとを接続し、第１のリンクが第１のリングとともにＷ−クラウンを形成し、且つ前記隣接するリングとともにＹ−クラウンを形成し、
自由クラウンがリンクに接続されず、
リングが、Ｗ−クラウン、３つの自由クラウン、Ｙ−クラウン、３つの自由クラウン、及びＷ−クラウンの順序で前記リングの軸周りに配置された、直接隣接する一連のクラウンを備える、ステント。
【請求項２】
前記コポリマーのガラス転移温度（Ｔｇ）が、３７℃〜５５℃である、請求項１に記載のステント。
【請求項３】
前記ゴム状ポリマーが、コポリマーの０．１〜１０重量％又はモル％である、請求項１に記載のステント。
【請求項４】
前記ゴム状ポリマーが、２５℃未満のＴｇを有する、請求項１に記載のステント。
【請求項５】
前記コポリマーのガラス転移温度（Ｔｇ）が、乾燥状態から湿り状態へ１５％未満変化する、請求項１に記載のステント。
【請求項６】
前記ゴム状ポリマーが、ポリカプロラクトンである、請求項１に記載のステント。
【請求項７】
前記ゴム状ポリマーが、ポリヒドロキシアルカノエート（ＰＨＡ）、ポリ（４−ヒドロキシブチレート）（Ｐ４ＨＢ）、ポリ（トリメチレンカーボネート）（ＰＴＭＣ）、ポリ（ブチレンサクシネート）（ＰＢＳ）、ポリウレタン、ポリエチレングリコール（ＰＥＧ）、及びポリ（ｐ−ジオキサノン）（ＰＤＯ）からなる群から選択されるモノマー、オリゴマー、又はポリマー単位を含む、請求項１に記載のステント。
【請求項８】
前記コポリマーの重量平均分子量が、６０〜１５０ｋＤａである、請求項１に記載のステント。
【請求項９】
前記ストラットがクラウンを有するリングを形成し、前記リングが長手方向に延在するリンクによって相互接続され、前記スキャフォールドが拡張時直径を有するときに前記クラウンが約９０〜１１５度の最大クラウン角度を有する、請求項１に記載のステント。
【請求項１０】
前記スキャフォールドパターンが、ストラットによって形成されたリングを含み、製作状態で、
前記スキャフォールドが０．００８インチ〜０．０１４インチの壁厚と、５〜１０ｍｍの直径を有する、請求項１に記載のステント。
【請求項１１】
前記スキャフォールディングパターンが、リングと別のリングとを接続する複数のリングとリンクを含み、前記スキャフォールディングパターンが、閉鎖セルを形成し、閉鎖セルが、１２の自由クラウン、３つのＹ−クラウン及び３つのＷ−クラウンを有し、各Ｙ−クラウンが前記Ｗ−クラウンの一つと一直線になっている、請求項１に記載のステント。
【請求項１２】
前記スキャフォールドのパターンが、複数のクラウンを有し、スキャフォールドが前記拡張時直径を有するときにいずれのクラウンも約９０度〜１１５度の最大クラウン角度を有する、請求項１に記載のステント。
【手続補正書】
【提出日】平成28年6月28日(2016.6.28)
【手続補正１】
【補正対象書類名】特許請求の範囲
【補正対象項目名】全文
【補正方法】変更
【補正の内容】
【特許請求の範囲】
【請求項１】
鋸であって、
駆動装置と、
第１の刃であって、前記刃の表面によって画定された平面に対して垂直な軸線を中心に振動するように構成された、第１の刃と、
前記第１の刃とは反対方向に、前記平面に対して垂直な軸線を中心に振動するように構成された第２の刃と、
前記駆動装置と前記第１の刃および前記第２の刃との間に配置され、前記駆動装置から前記第１の刃および前記第２の刃に伝達される速度を低減するように構成された歯車装置とを備える、鋸。
【請求項２】
前記駆動装置に回転可能に連結された偏心駆動シャフトをさらに備え、前記偏心駆動シャフトが、前記第１の刃および前記第２の刃を振動させるように作用する、請求項１に記載の鋸。
【請求項３】
前記偏心駆動シャフトが、前記第１の刃および前記第２の刃の各々の前記平面に垂直である、請求項２に記載の鋸。
【請求項４】
前記歯車装置が、遊星歯車および９０度の歯車変速装置のうちの少なくとも一方を含む、請求項１〜３のいずれか１項に記載の鋸。
【請求項５】
前記駆動装置が前記平面とほぼ平行になるように、前記歯車装置が、９０度の歯車変速装置を含む、請求項４に記載の鋸。
【請求項６】
前記歯車装置が、約１：１．５の歯車比を提供する、請求項４または５に記載の鋸。
【請求項７】
前記歯車装置が、前記９０度の歯車変速装置を含み、前記９０度の歯車変速装置が、駆動装置に結合されるように構成された第１の傘歯車と、前記偏心駆動シャフトに結合された第２の傘歯車とを含み、前記第１の傘歯車の歯が、前記第２の傘歯車よりも少ない、請求項５に記載の鋸。
【請求項８】
前記９０度の歯車変速装置が、１：１．３８４６の歯車比を提供する、請求項６に記載の鋸。
【請求項９】
前記歯車装置が、前記駆動装置と前記９０度の歯車変速装置との間に配置された前記遊星歯車をさらに備える、請求項５〜８のいずれか１項に記載の鋸。
【請求項１０】
前記遊星歯車が、１：３．９４７４の歯車比を規定し、これによって、前記駆動装置から前記第１の刃および前記第２の刃への方向に沿った速度の低減を規定する、請求項９に記載の鋸。
【請求項１１】
前記第１の刃および前記第２の刃が、同一の軸線を中心に振動する、請求項１〜１０のいずれか１項に記載の鋸。
【請求項１２】
前記第１の刃および前記第２の刃が、前記鋸に取り外し可能に取り付けられている、請求項１〜１１のいずれか１項に記載の鋸。
【請求項１３】
前記第１の刃および前記第２の刃が、鋸刃を含み、前記鋸刃が、
遠位端にある刃先と、
前記鋸刃の近位端にあって、前記鋸刃を鋸に連結するように構成された取付部と、
前記鋸刃から延びる突起であって、前記突起が前記鋸刃の表面から離れる方向に延びた位置に、弾性的に付勢された、突起とを備える、請求項１〜１２のいずれか１項に記載の鋸。
【請求項１４】
連結機構をさらに備え、前記連結機構が、
受け面および隆起部を画定する装着部と、
開口部を画定する刃とを備え、
前記刃の表面が、摺動して前記受け面と係合でき、前記隆起部が、前記刃の平面において、前記刃の前記開口部内に受けられる、請求項１〜１２のいずれか１項に記載の鋸。
【誤訳訂正書】
【提出日】平成28年7月6日(2016.7.6)
【誤訳訂正１】
【訂正対象書類名】明細書
【訂正対象項目名】００３９
【訂正方法】変更
【訂正の内容】
【００３９】
ガスを加湿器１２内の複数の異なる中間位置から抽出して、除湿器１４内の対応する複数の異なる中間位置に供給する多重抽出の形態が、ガス導管６０、６２および６４によって構成され、それによって、ガスの物質流れの操作と、機器の熱平衡と、高い熱の回収とが可能になる。「対応する」位置というのは、抽出された流体流れの温度および蒸気濃度と、抽出された流れが注入される流体流れの温度および蒸気濃度とが、等しくないとしても略同一（例えば、１℃および１％の範囲内）である、それぞれのチャンバ内の位置である。このような「対応する」位置は、混合の不可逆性と見做される損失を避けるために用いられる。異なる平衡状態を有する２つの流れが混合されると、これらの流れを熱平衡させるために、高度の不可逆過程が必要になる可能性があり、大きな熱力学的損失がもたらされる。
【誤訳訂正２】
【訂正対象書類名】特許請求の範囲
【訂正対象項目名】請求項６
【訂正方法】変更
【訂正の内容】
【請求項６】
加湿−除湿システムにおけるエントロピー生成を低減する方法において、
蒸発可能な成分およびキャリアガスを含むキャリアガス混合体の流れを、充填床の加湿器内の流体流れの径路を通して導くステップであって、前記システムは大気圧未満の圧力で運転できる、ステップと、
前記キャリアガス混合体中の蒸発可能な成分の含有量を、液体組成物からの蒸発可能な成分の蒸発によって実質的に増大させるために、熱および物質を、前記キャリアガス混合体に、前記蒸発可能な成分をその一成分として液体状態において含み、前記キャリアガス混合体とは反対方向に流れる前記液体組成物との直接的な相互作用によって移動させるステップと、
前記キャリアガス混合体を前記加湿器から除湿器に導くステップであって、熱および物質が、前記キャリアガス混合体から、前記除湿器内の流体流れの径路における前記液体組成物との間接的な相互作用によって移動し、それによって、前記キャリアガス混合体中の前記蒸発可能な成分の含有量が低減され、かつ、前記液体組成物が予熱される、ステップと、
（ａ）前記キャリアガス混合体および（ｂ）前記液体組成物の少なくともいずれかの質量流量を変化させるステップであって、前記（ａ）の場合は、前記加湿器における流体流れの径路内の少なくとも１つの中間位置から前記キャリアガス混合体を抽出し、抽出された前記キャリアガス混合体を前記除湿器内の対応する位置に注入することによって行われ、前記（ｂ）の場合は、前記加湿器における流体流れの径路内の少なくとも１つの中間位置から前記液体組成物を抽出し、前記液体組成物を前記除湿器内の対応する位置に注入することによって行われ、前記対応する位置はそれらの位置におけるそれぞれの流体流れの温度と蒸気濃度が略同一である位置であり、抽出および注入による前記質量流量の変化が前記除湿器内の平均局所エンタルピーピンチを低減する、ステップと、
を含む、ことを特徴とする方法。
【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
第１主表面及び第２主表面を有するグリーン体セラミックス要素と、
複数の無機粒子と、
結合剤と、を備える研磨要素前駆体であって、
少なくとも前記第１主表面が、複数の精密に成形された形成部を有し、
前記複数の無機粒子が、少なくとも約９９重量％の炭化物セラミックスである、研磨要素前駆体。
【請求項２】
前記無機粒子が、炭化ケイ素、炭化ホウ素、炭化ジルコニウム、炭化タングステン、又はこれらの組み合わせからなる群から選択される、請求項１に記載の研磨要素前駆体。
【請求項３】
炭素源を更に含む、請求項１に記載の研磨要素前駆体。
【請求項４】
前記グリーン体セラミックス要素が、酸化物焼結助剤を実質的に含まない、請求項１に記載の研磨要素前駆体。
【請求項５】
前記複数の無機粒子、前記結合剤及び前記炭素源が、混合物を形成し、
前記混合物が粒塊の形状である、請求項３に記載の研磨要素前駆体。
【請求項６】
複数の精密に成形されたキャビティを有する金型を提供する工程と、
少なくとも約９９重量％の炭化物セラミックスである複数の無機粒子及び結合剤を含む混合物を提供する工程と、
第１主表面及び第２主表面を有するグリーン体セラミックス要素を形成する工程であって、少なくとも前記第１主表面が、複数の精密に成形された形成部を有し、前記グリーン体セラミックス要素が、複数の無機粒子及び結合剤を含み、前記複数の無機粒子が、少なくとも約９９重量％の炭化物セラミックスであり、前記グリーン体セラミックス要素を形成する工程が、前記キャビティの大半を前記混合物で充填するステップを更に含む工程と、を含む、研磨要素前駆体を作製する方法。
【請求項７】
複数の精密に成形されたキャビティを有する金型を提供する工程と、
少なくとも約９９重量％の炭化物セラミックスである複数の無機粒子及び結合剤を含む混合物を提供する工程と、
第１主表面及び第２主表面を有するグリーン体セラミックス要素を形成する工程であって、少なくとも前記第１主表面が、複数の精密に成形された形成部を有し、前記グリーン体セラミックス要素が、複数の無機粒子及び結合剤を含み、前記複数の無機粒子が、少なくとも約９９重量％の炭化物セラミックスであり、前記グリーン体セラミックス要素を形成する工程が、前記キャビティの大半を前記混合物で充填するステップを更に含む、工程と、
前記金型から前記グリーン体セラミックス要素を取り出す工程と、
前記グリーン体セラミックス要素を加熱して、前記無機粒子の焼結を引き起こす工程と、を含む、研磨要素を形成する方法。
【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
ドープされたＳｉＯ2スラリーの製造方法であって、ＳｉＯ2粒子を水性液体中に含む懸濁液に、少なくとも１種のドープ溶液を連続して添加して前記ドープされたＳｉＯ2スラリーを形成させる前記方法において、生じるドープされたＳｉＯ2スラリーが絶え間なく動かされる間、前記ＳｉＯ2懸濁液および／または前記ドープ溶液が、噴霧物として相互に作用し、該噴霧物の平均液滴径が、１０μｍ〜１００μｍの範囲にあることを特徴とする前記方法。
【請求項２】
前記平均液滴径が、１０μｍ〜５０μｍの範囲にあることを特徴とする、請求項１に記載の方法。
【請求項３】
前記ＳｉＯ2懸濁液からの噴霧物、および前記少なくとも１種のドープ溶液からの噴霧物の場合に、該噴霧物が、霧状物の段階で互いに混合されることを特徴とする請求項１または２に記載の方法。
【請求項４】
前記ＳｉＯ2懸濁液および／または前記ドープ溶液が、１つまたは複数の噴霧ノズルを使用することによって噴霧されて噴霧物にされることを特徴とする、請求項１から３までのいずれか１項に記載の方法。
【請求項５】
前記噴霧物の生成において、０．５ｂａｒ〜１０ｂａｒの範囲の作業圧力で実施されることを特徴とする請求項１から４までのいずれか１項に記載の方法。
【請求項６】
前記噴霧物の生成において、０．２ｌ／ｈ〜４．０ｌ／ｈの範囲の流量で実施されることを特徴とする、請求項１から５までのいずれか１項の方法。
【請求項７】
前記ＳｉＯ2懸濁液または前記ドープ溶液、または前記少なくとも部分的にドープされたＳｉＯ2スラリーが、１つまたは複数のプロペラ撹拌機を使用することにより動かされることを特徴とする、請求項１から６までのいずれか１項に記載の方法。
【請求項８】
前記噴霧物の生成の前に、前記ＳｉＯ2懸濁液および／または前記ドープ溶液がろ過されることを特徴とする、請求項１から７までのいずれか１項に記載の方法。
【請求項９】
前記ＳｉＯ2懸濁液が、１２より大きいｐＨ値に調節されることを特徴とする、請求項１から８までのいずれか１項に記載の方法。
【請求項１０】
請求項１から９までのいずれか１項に記載の方法により製造されるドープされたＳｉＯ2スラリーの、ドープされた石英ガラスを製造するための使用。
【請求項１１】
前記ドープされた石英ガラスが、レーザー活性石英ガラスであることを特徴とする、請求項１０に記載の使用。
【手続補正書】
【提出日】平成28年7月19日(2016.7.19)
【手続補正１】
【補正対象書類名】図面
【補正対象項目名】図５３
【補正方法】変更
【補正の内容】
【図５３】
2015527965.tif 000001
【手続補正２】
【補正対象書類名】図面
【補正対象項目名】図５５
【補正方法】変更
【補正の内容】
【図５５】
2015527965.tif 000002
【手続補正３】
【補正対象書類名】図面
【補正対象項目名】図５９
【補正方法】変更
【補正の内容】
【図５９】
2015527965.tif 000003
【手続補正４】
【補正対象書類名】図面
【補正対象項目名】図６４
【補正方法】変更
【補正の内容】
【図６４】
2015527965.tif 000004
【手続補正５】
【補正対象書類名】図面
【補正対象項目名】図６５
【補正方法】変更
【補正の内容】
【図６５】
2015527965.tif 000005
【手続補正６】
【補正対象書類名】図面
【補正対象項目名】図６６
【補正方法】変更
【補正の内容】
【図６６】
2015527965.tif 000006
【手続補正７】
【補正対象書類名】図面
【補正対象項目名】図６７
【補正方法】変更
【補正の内容】
【図６７】
2015527965.tif 000007
【手続補正８】
【補正対象書類名】特許請求の範囲
【補正対象項目名】全文
【補正方法】変更
【補正の内容】
【特許請求の範囲】
【請求項１】
ガラス容器において、
内面と外面を有するガラス本体であって、前記ガラス本体の少なくとも前記内面は、１０以下の層間剥離因子、および４５０℃以下の温度で１６μｍ２／時を超える閾値の拡散率を有するガラス本体と、
前記ガラス本体の前記外面の少なくとも一部分に結合した耐熱性コーティングであって、少なくとも２６０℃の温度で３０分間、熱的に安定である耐熱性コーティングと、
を備えることを特徴とするガラス容器。
【請求項２】
前記耐熱性コーティングを有する前記ガラス本体の前記外面が、０．７未満の摩擦係数を有することを特徴とする請求項１に記載のガラス容器。
【請求項３】
前記耐熱性コーティングが、１０℃／分の上昇率で１５０℃の温度から３５０℃まで加熱された場合、質量損失がその質量の５％未満であることを特徴とする請求項１または２に記載のガラス容器。
【請求項４】
前記耐熱性コーティングが、
少なくとも１種のシラン化学組成物を含むカップリング剤層と、
前記カップリング剤層と接触する低摩擦層であって、ポリマー化学組成物を含む低摩擦層と、
を含むことを特徴とする請求項１〜３のいずれか一項に記載のガラス容器。
【請求項５】
前記ガラス容器のコーティングした部分を通る光透過度が、４００ｎｍ〜７００ｎｍの波長に関して、未コーティングのガラス物品を通る光透過度の５５％以上であることを特徴とする請求項１〜４のいずれか一項に記載のガラス容器。
【請求項６】
前記ガラス本体が、
ＤＩＮ１２１１６に準拠した少なくともクラスＳ３の耐酸性と、
ＩＳＯ６９５に準拠した少なくともクラスＡ２の耐塩基性と、
ＩＳＯ７２０に準拠した少なくともタイプＨｇＡ２の耐加水分解性と、
を有することを特徴とする請求項１〜５のいずれか一項に記載のガラス容器。
【請求項７】
前記ガラス本体が、前記ガラス本体の少なくとも前記外面において３００ＭＰａ以上の圧縮応力および少なくとも３０μｍの層深さを有することを特徴とする請求項１〜６のいずれか一項に記載のガラス容器。
【請求項８】
前記ガラス本体の前記内面と前記ガラス本体の前記外面との間に及ぶ内部域を有し、前記内部域が、持続的な層均質性を有することを特徴とする請求項１〜７のいずれか一項に記載のガラス容器。
【請求項９】
前記内部域が、前記ガラス本体の前記内面下１０ｎｍから延び、少なくとも１００ｎｍ厚ＴＬＲを有することを特徴とする請求項８に記載のガラス容器。
【請求項１０】
前記ガラス本体の前記内面が、前記ガラス本体の壁部の厚みの中で前記ガラス本体の前記内面から１０ｎｍ〜５０ｎｍの深さに及ぶ持続的な表面均質性を有することを特徴とする請求項１〜９のいずれか一項に記載のガラス容器。
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
化粧品組成物であって、
遊離エイコサペンタエン酸と、
遊離ガンマリノレン酸と、
１つ以上の化粧品的に許容可能な賦形剤と、を含む化粧品組成物であり、
前記遊離エイコサペンタエン酸と前記遊離ガンマリノレン酸が、約２：１〜約８：１の重量比で存在する化粧品組成物。
【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
水と混合するための組成物であって、該組成物は任意に２以上の部分で存在し、
ａ）（ｉ）アスコルビン酸及び
（ｉｉ）アスコルビン酸の１種以上の塩
の混合物であり、該成分（ｉ）と該成分（ｉｉ）とが１：４．５ないし１：７．０のモル比で存在する混合物により提供される１５０ないし４００ｍｍｏｌのアスコルビン酸アニオン；並びに
ｂ）５ないし１００ｇのポリエチレングリコール
を含む組成物。
【請求項２】
前記アスコルビン酸の１種以上の塩がアスコルビン酸ナトリウム、アスコルビン酸カリウム、アスコルビン酸マグネシウム及びアスコルビン酸カルシウムから選択されるか、又はそれらの混合物である請求項１に記載の組成物。
【請求項３】
前記成分（ｉ）と前記成分（ｉｉ）とのモル比が１：４．７５ないし１：６．７５；より好ましくは１：５．０ないし１：６．０；例えば１：５．４０ないし１：５．８０；例えば１５：８５である請求項１又は請求項２に記載の組成物。
【請求項４】
前記組成物が２０ないし８５ｇ、例えば２５ないし７５ｇ、例えば２０ないし６０ｇ、例えば５０ないし６０ｇのアスコルベート成分を含む請求項１ないし請求項３のいずれか１項に記載の組成物。
【請求項５】
６．０ないし１０ｇのアスコルビン酸及び４０ないし６０ｇのアスコルビン酸ナトリウムを含む請求項１ないし請求項４のいずれか１項に記載の組成物。
【請求項６】
前記ポリエチレングリコールが２０００ないし８０００、例えば２５００ないし４５００Ｄａ、例えば２６８０ないし４０２０Ｄａ、例えば３０００ないし４０００Ｄａの平均分子量を有し、かつ前記組成物が１０ないし８０ｇ、例えば２０ないし６０ｇ、例えば３０ないし５０ｇ、例えば４０ｇのＰＥＧを含む請求項１ないし請求項５のいずれか１項に
記載の組成物。
【請求項７】
１．５ないし４ｇ、例えば２．０ないし３．５ｇ；例えば２．８ｇ又は３．２ｇの量で塩化ナトリウムを含み、かつ０．５ないし５ｇ、例えば０．５ないし３．５ｇ、例えば０．７５ないし２．５ｇ、例えば０．７５ないし１．５ｇ、例えば１．０ないし１．４ｇ；例えば１．２ｇ又は１．３ｇの量で塩化カリウムを含む請求項１ないし請求項６のいずれか１項に記載の組成物。
【請求項８】
１ないし１０ｇ、例えば２．５ないし７．５ｇ、例えば４ないし７．５ｇ、例えば５ないし７ｇ、例えば６ｇの量で、硫酸ナトリウム、硫酸カリウム又は硫酸マグネシウムを含む請求項１ないし請求項７のいずれか１項に記載の組成物。
【請求項９】
香味剤及び甘味料を含む請求項１ないし請求項８のいずれか１項に記載の組成物。
【請求項１０】
アスパルテーム及びオレンジ香味料を含み、例えば０．２５ないし２ｇ、例えば１．２５ないし２．０ｇ、例えば１．５ｇ、例えば１．９３ｇの量でアスパルテーム；及び０．１ないし０．９ｇの量でオレンジ香味料を含む請求項９に記載の組成物。
【請求項１１】
３００ｍＬないし１０００ｍＬの体積の溶液にするために提供される請求項１ないし請求項１０のいずれか１項に記載の組成物。
【請求項１２】
ａ）（ｉ）アスコルビン酸及び
（ｉｉ）アスコルビン酸の１種以上の塩
の混合物であり、該成分（ｉ）と該成分（ｉｉ）とが１：４．５ないし１：７．０のモル比で存在する混合物により提供される１リットル当たり３００ないし８００ｍｍｏｌのアスコルビン酸アニオン；並びに
ｂ）１リットル当り１０ないし２００ｇのポリエチレングリコール
を含む結腸洗浄溶液。
【請求項１３】
４００ないし６００ｍＬの体積であり、かつ請求項２ないし請求項１０のいずれか１項に記載された成分を含む請求項１２に記載の結腸洗浄溶液。
【請求項１４】
乾燥粉末組成物である請求項１ないし請求項１１のいずれか１項に記載の組成物。
【請求項１５】
薬剤として使用するための；例えば、哺乳類の結腸を洗浄するための、又は便秘若しくは宿便を治療するための、請求項１ないし請求項１１若しくは請求項１４のいずれか１項に記載の組成物、又は請求項１２若しくは請求項１３に記載の溶液。
【請求項１６】
７００ないし１５００ｍＬの体積で単回投与の結腸洗浄処置として使用するための；又は分割投与の結腸洗浄処置として使用（ここで、用量の一方又は両方が２００ないし１０００ｍＬの体積を有する）するための請求項１２、請求項１３又は請求項１５のいずれか１項に記載の溶液。
【請求項１７】
Ａ）水との混合による第一の結腸洗浄溶液の調製のための任意に２部以上で存在する、組成物；及び
Ｂ）水との混合による第二の結腸洗浄溶液の調製のための任意に２部以上で存在する、組成物である、第二成分であって、該第二の組成物は請求項１ないし請求項１１のいずれか１項に記載の組成物である第二成分
を含むキット。
【請求項１８】
水との混合による第一の結腸洗浄溶液の調製のための任意に２部以上で存在する、第一の組成物が
（ｉ）５２．５ないし１８７．５ｇの、２５００ないし４５００Ｄａの平均分子量を有するＰＥＧ；
（ｉｉ）１．５ないし１５ｇの、１種以上のアルカリ金属硫酸塩、アルカリ土類金属硫酸塩又はこれらの混合物；
（ｉｉｉ）任意の１種以上の電解質；
（ｉｖ）任意の１種以上の香味剤；及び
（ｖ）任意の１種以上の甘味料
を含む請求項１７に記載のキット。
【請求項１９】
−被験者に第一の結腸洗浄溶液の有効量を投与すること；
−被験者に第二の結腸洗浄溶液の有効量を投与すること
を含む請求項１５に記載の被験者の結腸を洗浄する方法に使用するための組成物又は溶液であって、
該第二の結腸洗浄溶液が請求項１５に記載の溶液である組成物又は溶液。
【請求項２０】
前記被験者が第一及び第二の結腸洗浄溶液の一方又は両方を摂取した後、追加の透明液を摂取する請求項１９に記載の被験者の結腸を洗浄する方法に使用するための組成物又は溶液。
【請求項２１】
哺乳類の結腸を洗浄する薬剤の製造のための、又は便秘若しくは宿便を治療するための、請求項１ないし請求項１１若しくは請求項１４のいずれか１項に記載の組成物、又は請求項１２若しくは請求項１３に記載の溶液の使用。
【請求項２２】
哺乳類の結腸を洗浄する薬剤若しくはキットの製造のための、又は便秘若しくは宿便を治療するための、第一の結腸洗浄溶液及び第二の結腸洗浄溶液の使用であって、
該第二の結腸洗浄溶液が請求項１乃至請求項１１のいずれか１項に記載の溶液である、使用。
【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
多価不飽和脂肪酸またはその誘導体を含む安定液体組成物であって、前記多価不飽和脂肪酸またはその誘導体が、式
Ｆ（ＣＦ２）ｎ（ＣＨ２）ｍＨ
または式
Ｆ（ＣＦ２）ｎ（ＣＨ２）ｍ（ＣＦ２）ｏＦ
（式中、ｎ、ｍおよびｏは、３〜２０の範囲から独立して選択される整数である）の半フッ素化アルカンを含む液体ビヒクルに溶解、分散または懸濁されており、前記液体ビヒクルが水を含まない、安定液体組成物。
【請求項２】
前記多価不飽和脂肪酸の誘導体がエステル誘導体である、請求項１に記載の組成物。
【請求項３】
前記多価不飽和脂肪酸またはその誘導体が、オメガ−３もしくはオメガ−６脂肪酸もしくはそれらの誘導体であるか、またはオメガ−３もしくはオメガ−６脂肪酸もしくはそれらの誘導体の混合物である、請求項１または請求項２に記載の組成物。
【請求項４】
前記多価不飽和脂肪酸またはその誘導体がオメガ−３脂肪酸またはその誘導体であり、前記オメガ−３脂肪酸またはその誘導体のみを活性成分として含む、請求項３に記載の組成物。
【請求項５】
前記オメガ−３脂肪酸が、α−リノレン酸、ドコサヘキサエン酸、エイコサペンタエン酸、またはそれらのエステル誘導体から選択される、請求項３に記載の組成物。
【請求項６】
前記オメガ−３脂肪酸が、ドコサヘキサエン酸誘導体、エイコサペンタエン酸誘導体、レゾルビンまたはニューロプロテクチンから選択される、請求項３に記載の組成物。
【請求項７】
前記オメガ−３脂肪酸のエステル誘導体が、ドコサヘキサエン酸エチルエステルまたはエイコサペンタエン酸エチルエステルから選択される、請求項５に記載の組成物。
【請求項８】
液体半フッ素化アルカンに溶解または分散された１つ以上のオメガ−３脂肪酸またはそのエステル誘導体からなる、請求項４または請求項５に記載の組成物。
【請求項９】
Ｆ（ＣＦ２）６（ＣＨ２）８Ｈに溶解または分散されたドコサヘキサエン酸および／もしくはエイコサペンタエン酸またはそれらのアルキルエステル誘導体からなる、請求項８に記載の組成物。
【請求項１０】
０．０１〜１０ｗｔ％の前記多価不飽和脂肪酸またはその誘導体を含む、請求項１〜９のいずれか一項に記載の組成物。
【請求項１１】
前記半フッ素化アルカンが、Ｆ（ＣＦ２）４（ＣＨ２）５Ｈ、Ｆ（ＣＦ２）４（ＣＨ２）６Ｈ、Ｆ（ＣＦ２）４（ＣＨ２）８Ｈ、Ｆ（ＣＦ２）６（ＣＨ２）４Ｈ、Ｆ（ＣＦ２）６（ＣＨ２）６Ｈ、Ｆ（ＣＦ２）６（ＣＨ２）８Ｈ、Ｆ（ＣＦ２）６（ＣＨ２）１０Ｈ、Ｆ（ＣＦ２）８（ＣＨ２）１０ＨおよびＦ（ＣＦ２）１０（ＣＨ２）１２Ｈから選択される、請求項１〜１０のいずれか一項に記載の組成物。
【請求項１２】
トリグリセリド油、鉱油、中鎖トリグリセリド、油性脂肪酸、ミリスチン酸イソプロピル、油性脂肪アルコール、ソルビトールと脂肪酸とのエステル、油性スクロースエステル、油性コレステロールエステル、油性ワックスエステル、グリセロリン脂質、およびスフィンゴ脂質から選択される脂質または油性賦形剤をさらに含む、請求項１〜１１のいずれか一項に記載の組成物。
【請求項１３】
ＮＳＡＩＤ、コルチコステロイドおよび免疫調節剤の群から選択される抗炎症化合物をさらに含む、請求項１〜３、５または１１のいずれか一項に記載の組成物。
【請求項１４】
医薬として使用するための、請求項１〜１３のいずれか一項に記載の組成物。
【請求項１５】
前記医薬が、眼もしくは眼組織、皮膚または頬粘膜、肛門粘膜、膣粘膜もしくは鼻粘膜に局所投与される、医薬として使用するための請求項１４に記載の組成物。
【請求項１６】
前記医薬が、眼または眼組織の症状または疾患の処置に使用される医薬として使用するための、請求項１４または１５に記載の組成物。
【請求項１７】
前記眼または眼組織の症状または疾患が、眼組織の炎症症状もしくは乾性角結膜炎（ドライアイ）またはそれらに関連する症候もしくは症状である、請求項１６に記載の組成物。
【請求項１８】
オメガ３−脂肪酸、オメガ−６脂肪酸、もしくはこれらのエステル誘導体またはこれらの混合物から選択される多価不飽和脂肪酸を安定化する方法であって、式
Ｆ（ＣＦ２）ｎ（ＣＨ２）ｍＨ
または式
Ｆ（ＣＦ２）ｎ（ＣＨ２）ｍ（ＣＦ２）ｏＦ
（式中、ｎ、ｍおよびｏは、３〜２０の範囲から独立して選択される整数である）の半フッ素化アルカンを含む液体ビヒクルに前記多価不飽和脂肪酸を溶解、分散または懸濁する工程を含み、前記液体ビヒクルが水を含まない、方法。
【請求項１９】
前記半フッ素化アルカンが、Ｆ（ＣＦ２）４（ＣＨ２）５Ｈ、Ｆ（ＣＦ２）４（ＣＨ２）６Ｈ、Ｆ（ＣＦ２）４（ＣＨ２）８Ｈ、Ｆ（ＣＦ２）６（ＣＨ２）４Ｈ、Ｆ（ＣＦ２）６（ＣＨ２）６Ｈ、Ｆ（ＣＦ２）６（ＣＨ２）８Ｈ、Ｆ（ＣＦ２）６（ＣＨ２）１０Ｈ、Ｆ（ＣＦ２）８（ＣＨ２）１０ＨおよびＦ（ＣＦ２）１０（ＣＨ２）１２Ｈから選択される、請求項１８に記載の方法。
【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
黒色腫の従前の診断を有し、該黒色腫が切除されている患者にアジュバント治療を提供するための、治療上有効用量のダブラフェニブおよびトラメチニブを含む、医薬組成物。
【請求項２】
ダブラフェニブが1日2回150mgの量で投与される、請求項1に記載の医薬組成物。
【請求項３】
トラメチニブが1日1回2mgの量で投与される、請求項1に記載の医薬組成物。
【請求項４】
患者がステージIII黒色腫の従前の診断を有し、該ステージIII黒色腫が切除されている、請求項1に記載の医薬組成物。
【請求項５】
患者がBRAF V600変異陽性黒色腫の従前の診断を有し、該BRAF V600変異陽性黒色腫が切除されている、請求項1に記載の医薬組成物。
【請求項６】
黒色腫の切除後の患者の無再発生存期間(RFS)を増加させるための、ダブラフェニブとトラメチニブを含んでなる、医薬組成物。
【請求項７】
前記黒色腫がBRAF V600変異陽性である、請求項6に記載の医薬組成物。
【請求項８】
黒色腫の切除後の患者における無再発生存期間(RFS)の増加において使用するための、ダブラフェニブとトラメチニブの組み合わせを含む組成物。
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
化粧品用及び／又は皮膚科学的組成物であって、有効成分の組み合わせとして、組成物の総重量に基づいて、以下の：
ａ）０．２〜０．８重量％の少なくとも１種類のワックス体、
ｂ）０．３〜１重量％の、少なくとも１種類のアクリル酸モノマー及び／又は少なくとも１種類のアクリル酸モノマーのエステルベースの少なくとも１種類のポリマー、
ｃ）０．１〜０．７５重量％の、１２〜２０個の炭素原子を有する少なくとも１種類の直鎖飽和非置換脂肪アルコール、
ｄ）６〜１２重量％の少なくとも１種類の皮膚軟化剤、
ｅ）０．５〜１．５重量％の、直鎖飽和非置換脂肪酸及び直鎖飽和非置換脂肪アルコールから成る２０〜３４個の炭素原子を有する少なくとも１種類の直鎖飽和非置換エステル、及び
ｆ）クレアチン、アラントイン、及び／又はグリセリンから選択される少なくとも１種類の有効成分、
を含むことを特徴とする、組成物。
【請求項２】
有効成分の組み合わせとして、該組成物の総重量に基づいて、以下の：
ａ）０．３〜０．５重量％の少なくとも１種類のワックス体；
ｂ）０．３５〜０．５重量％の、少なくとも１種類のアクリル酸モノマー及び／又は少なくとも１種類のアクリル酸モノマーのエステルベースの少なくとも１種類のポリマー；
ｃ）０．２〜０．３重量％の、１２〜２０個の炭素原子を有する少なくとも１種類の直鎖飽和非置換脂肪アルコール；
ｄ）７〜１０重量％の少なくとも１種類の皮膚軟化剤；
ｅ）０．８〜１．２重量％の、直鎖飽和非置換脂肪酸及び直鎖飽和非置換脂肪アルコールから成る２０〜３４個の炭素原子を有する少なくとも１種類のエステル；及び
ｆ）０．２〜８重量％の、クレアチン、アラントイン及び／又はグリセリンから選択される少なくとも１種類の有効成分、
を含む、請求項１に記載の組成物。
【請求項３】
有効成分ａ）〜ｆ）として、以下の：
ａ）少なくとも１種類の動物及び／又は植物ワックス体と少なくとも１種類の化学的改変ワックス体であって、（単数若しくは複数の）使用した前記動物及び植物ワックス体の総重量と、（単数若しくは複数の）使用した前記化学的改変ワックス体の総重量との重量比が、１：２〜２：１であるもの；
ｂ）少なくとも１種類のアクリル酸モノマー、並びに／或いはアクリル酸のホモポリマー及び／又はアクリル酸のコポリマー及び／又はアクリル酸のアルキルエステルから選択される、少なくとも１種類のアクリル酸モノマーのエステルベースの少なくとも１種類のポリマー；
ｃ）ステアリルアルコール及びセチルアルコールから選択される１６〜１８の炭素原子を有する少なくとも１種類の直鎖飽和非置換脂肪アルコール；
ｄ）ＰＥＧ‐３０グリセリルココエート、ＰＥＧ‐６カプリル／カプリングリセリド、ソルビタンセスキカプリラート、スクロースココエート、イソアミルカプロラート、ポリグリセリル‐３ココエート、ＰＰＧ‐３ミリスチルエーテル、ＰＰＧ‐１１ステアリルエーテル、セテアリルイソノナノアート、セチルエチルヘキサノアート、カプリル／カプリントリグリセリド、デカルココエート、ジエチルヘキシルカルボナート、デシルオレアート、ＰＰＧ‐１５ステアリルエーテル、オクチルドデカノール、イソセチルパルミタート、イソヘキサデカン、セテアリルエチルヘキサノアート、イソプロピルミリスタート、オレイルエルカート、エチルヘキシルパルミタート、エチルヘキシルステアラート、イソプロピルパルミタート、ＰＰＧ‐１４ブチルエーテル、トリイソステアリン、Ｃ１２‐１５アルキルベンゾアート、セチルリセノレアート、グリセリルリセノレアート、グリセリルステアラート、イソセチルパルミタート、イソセチルステアラート、トコフェリルリノレアート、メチルヘプチルイソステアラート、及びそれらの混合物から選択される少なくとも１種類の皮膚軟化剤；
ｅ）直鎖飽和非置換脂肪酸と直鎖飽和非置換脂肪アルコールから成る、２４〜３２個の炭素原子を有する少なくとも１種類のエステルであって、前記脂肪酸成分中の炭素原子数と前記脂肪アルコール成分中の炭素原子数の差が、２個以下の炭素原子から成るもの；及び
ｆ）クレアチン及びアラントインから選択される少なくとも１種類の有効成分、
を含む、請求項１又は２に記載の組成物。
【請求項４】
成分ｆ）として、クレアチン、アラントイン及びグリセリンを含むことを特徴とする、請求項１〜３のいずれか１項に記載の組成物。
【請求項５】
有効成分ｆ）としてグリセリンと、クレアチン及び／又はアラントインから選択される少なくとも１種類の更なる有効成分を含んでいて、クレアチンとアラントインの総重量対グリセリンの総重量の重量比が１：６〜１：２であることを特徴とする、請求項１〜４のいずれか１項に記載の組成物。
【請求項６】
ワックス成分ａ）の総重量対成分ｂ）のポリマーの総重量の重量比が、２：１〜１：２であることを特徴とする、請求項１〜５のいずれか１項に記載の組成物。
【請求項７】
有効成分であるポリグリセリル‐３‐ジシトラート／ステアラートと尿素を更に含むことを特徴とする、請求項１〜６のいずれか１項に記載の組成物。
【請求項８】
ポリグリセリル‐３‐ジシトラート／ステアラートと尿素が、１００：１〜１５０：１の重量比で使用されることを特徴とする、請求項７に記載の組成物。
【請求項９】
有効成分であるベタインと尿素を更に含み、ベタインと尿素が１：４〜１：６の重量比で使用されることを特徴とする、請求項１〜８のいずれか１項に記載の組成物。
【請求項１０】
少なくとも７０重量％の水を更に含むことを特徴とする、請求項１〜９のいずれか１項に記載の組成物。
【請求項１１】
シリコーン化合物を含んでいない、パラベンを含んでいない、及び／又はアルキルパラベンを含んでいないことを特徴とする、請求項１〜１０のいずれか１項に記載の組成物。
【請求項１２】
請求項１〜１１のいずれか１項に記載の組成物の調製方法であって、以下のステップ：
ｉ）有効成分ａ）、ｃ）、ｄ）の最初の部分、並びにｅ）を混合することによって、第一の相を調製し；
ｉｉ）ｆ）で言及した少なくとも１種類の有効成分と水とを混合することによって、第二の相を調製し；
ｉｉｉ）有効成分ｂ）とｄ）の残りの部分とを混合することによって、第三の相を調製し；
ｉｖ）撹拌することによって、第一の相と第二の相とを均質化し；
ｖ）ステップｉｖ）で得た組成物を第三の相と混合し；
ｖｉ）任意に、香料、保存料、ベタイン、尿素及び／又は他の物質をステップｖ）で得た組成物に加え；
ｖｉｉ）ｐＨ値を調整し；そして、
ｖｉｉｉ）任意に、室温にて該組成物に通気すること、
を含む、調製方法。
【請求項１３】
スキンクリームとしての、請求項１〜１１のいずれか１項に記載の組成物の化粧品用途。
【請求項１４】
保湿剤としての、請求項１〜１１のいずれか１項に記載の組成物の化粧品用途。
【請求項１５】
ストレスを受けた皮膚の保護のための、請求項１〜１１のいずれか１項に記載の組成物の化粧品用途。
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
記憶及び／又は記憶に関連した精神機能を損なう容態を経験していない被験者における記憶及び／又は記憶に関連した精神機能能力を改善するための使用のための、バクロフェン、アカンプロセート、シナカルセト、メキシレチン、スルフィソキサゾール、及びトラセミドから選択された少なくとも２つの化合物又はその塩、プロドラッグ、誘導体、又は持続放出製剤の組合せ。
【請求項２】
記憶に関連した精神機能が、学習、推理力、覚醒、注意力、集中力、言語処理、及び／又は社会職業的な負担に対処する能力から選択される、請求項１の使用のための組合せ。
【請求項３】
記憶が短期記憶及び／又は長期記憶である、請求項１の使用のための組合せ。
【請求項４】
前記少なくとも２つの化合物の組合せが、
−  バクロフェン及びアカンプロセート、
−  メキシレチン及びシナカルセト、
−  バクロフェン及びトラセミド、又は
−  スルフィソキサゾール及びトラセミド
又はその塩、プロドラッグ、誘導体、又は持続放出製剤を含む、請求項１〜３のいずれか一項の使用のための組合せ。
【請求項５】
前記組合せが、さらに、メチマゾール、プリロカイン、ジフィリン、キナクリン、カルベノキソロン、アミノカプロン酸、カベルゴリン、ジエチルカルバマジン、シナカルセト、シンナリジン、エプレレノン、フェノルドパム、レフルノミド、レボシメンダン、スロデキシド、テルビナフィン、ゾニサミド、エトミデート、フェンホルミン、トリメタジジン、メキシレチン、イフェンプロジル、モキシフロキサシン、ブロモクリプチン、又はトラセミドから選択された少なくとも１つの化合物を含む、請求項１〜４のいずれか一項の使用のための組合せ。
【請求項６】
前記組合せが、さらに、レベチラセタム、ピラセタム、プラミラセタム、アニラセタム、又はオキシラセタムから選択されたラセタムを含む、請求項１〜５のいずれか一項の使用のための組合せ。
【請求項７】
前記化合物が、薬学的に許容される担体又は賦形剤を用いて処方される、請求項１〜６のいずれか一項の使用のための組合せ。
【請求項８】
前記化合物が、一緒に、別々に又は順次処方又は投与される、請求項１〜７のいずれか一項の使用のための組合せ。
【請求項９】
前記化合物が、一緒に、同じ組成物中に処方される、請求項８の使用のための組合せ。
【請求項１０】
前記化合物が、前記被験者に反復投与される、請求項１〜９のいずれか一項の使用のための組合せ。
【請求項１１】
前記被験者が、記憶、学習又は覚醒の能力の一過性の刺激を必要とする、請求項１〜１０のいずれか一項の使用のための組合せ。
【請求項１２】
前記被験者が、ホルモン変化又はホルモン不均衡によって引き起こされる一過性記憶喪失を示す、請求項１〜１０のいずれか一項の使用のための組合せ。
【手続補正２】
【補正対象書類名】明細書
【補正対象項目名】００５９
【補正方法】変更
【補正の内容】
【００５９】
上記組成物は、単独で使用されても、又は追加の化合物とさらに組み合わせてもよい。これに関して、特定の態様において、本発明の組成物はさらに、メチマゾール、プリロカイン、ジフィリン、キナクリン、カルベノキソロン、アミノカプロン酸、カベルゴリン、ジエチルカルバマジン、シナカルセト、シンナリジン、エプレレノン、フェノルドパム、レフルノミド、レボシメンダン、スロデキシド、テルビナフィン、ゾニサミド、エトミデート、フェンホルミン、トリメタジジン、メキシレチン、イフェンプロジル、モキシフロキサシン、ブロモクリプチン、又はトラセミドから選択された少なくとも１つの化合物を含み得る。これらの各化合物の例示的なＣＡＳ番号を、非制限的に、以下の表２に提供する。